(57)【要約】【課題】  コピー機能をベースとし、少なくともファクシミリ機能を拡張可能とする画像形成装置において、ファクシミリの直接送信失敗時の再発呼を行えるようにする。【解決手段】  原稿台に原稿をセットし、操作・表示部５によりファクシミリ送信相手先等の必要な情報を入力し、スタートキーを押すと、ＮＣＵ９からの発呼が開始される。一定時間内に相手機からの応答があるか、話中音を検出するかを待つ。一定時間内に相手機からの応答があれば送信処理を行う。話中音を検出するか一定時間が経過すると発呼失敗となる。ここで再発呼可能か否かが選択スイッチ等により予め選択設定されている。設定が再発呼可能の場合は、スキャナ使用中のフラグをセットした後、原稿台の原稿をそのままにして再発呼待機に入り、設定が再発呼不可能の場合は、送信を中断するか、又はメモリに読み取ってしまい、メモリ送信に切り替えるかした後に原稿を取り去る。【選択図】  図１
2006148698.tif 000002
【特許請求の範囲】
【請求項１】
コピー機能をベースとし、少なくともファクシミリ機能を拡張可能とする画像形成装置において、
原稿台にファクシミリ送信原稿をセットして直接送信を行う場合、その発呼が失敗したとき、前記原稿台の原稿をそのままにして再発呼待機に入るようにする制御手段を有することを特徴とする画像形成装置。
【請求項２】
前記再発呼待機状態となっている場合は、コピーやスキャナ機能による原稿読み取りを禁止する禁止手段を有することを特徴とする請求項１記載の画像形成装置。
【請求項３】
前記制御手段は、前記発呼が失敗したとき、前記原稿台の原稿をそのままとして前記再発呼待機を行うモードと、その送信を中断又はメモリ送信に切替えるようにするモードとのいずれかを選択することを特徴とする請求項１又は２記載の画像形成装置。
【発明の詳細な説明】
【技術分野】
【０００１】
本発明は、コピー機をベースに少なくともファクシミリ機能を拡張可能とする複合機等の画像形成装置に関するものである。
【背景技術】
【０００２】
従来のファクシミリ装置においては、ファクシミリの直接送信が失敗した場合は再発呼待機に入り、一定時間経過後に再発呼を行うようにしている。これに対してコピー機をベースに少なくともファクシミリ機能を拡張可能とする従来の複合機の場合は、ファクシミリの直接送信が失敗しても再発呼を行えないようにしている。これは、送信失敗後所定時間の再発呼待機に入るので、ファクシミリ送信が成功するまで再発呼を行うと、その間、原稿台に原稿が残っているため、他のスキャナを使う機能（コピー、スキャナ）が使えなくなってしまうからである。尚、ブック原稿の送信失敗時、再発呼待機となるファクシミリ装置が提案されている（例えば、特許文献１参照）。
【特許文献１】特開平１１−３０８３９０号公報
【発明の開示】
【発明が解決しようとする課題】
【０００３】
しかしながら、再発呼ができない従来の複合機では、
主としてファクシミリ機能を使うユーザや、直接送信の再発呼が可能なファクシミリ装置から再発呼ができない複合機に買い替えた場合でも、今まで通りファクシミリの直接送信の再発呼を行いたいユーザにとっては、再発呼が行えず不便であった。
一方、そうでないユーザにとっては、従来の複合機の基本的な考え方である原稿台には原稿を残さず、他のアプリケーションを常に使えるようにしておきたいという要望もあった。
【０００４】
また、仮にファクシミリの直接送信の再発呼を可能にすると、送信が成功するまで原稿台に原稿が残ることになるため、再発呼待機状態でスキャナを使う他の機能（コピー、スキャナ）が実行された後、その原稿が原稿台から取り去られてしまうと、再発呼によるファクシミリ送信を待機していた原稿が送信される前に無くなってしまい、送信できないという不具合が生じる。
本発明は複合機においてファクシミリの直接送信の再発呼を行うことのできる画像形成装置を提供することを目的とする。
【課題を解決するための手段】
【０００５】
請求項１記載の発明は、コピー機能をベースとし、少なくともファクシミリ機能を拡張可能とする画像形成装置において、原稿台にファクシミリ送信原稿をセットして直接送信を行う場合、その発呼が失敗したとき、前記原稿台の原稿をそのままにして再発呼待機に入るようにする制御手段を有することを特徴とする。
【０００６】
請求項２記載の発明は、前記再発呼待機状態となっている場合は、コピーやスキャナ機能による原稿読み取りを禁止する禁止手段を有することを特徴とする。
【０００７】
請求項３記載の発明は、請求項１又は２記載の発明において、前記制御手段は、前記発呼が失敗したとき、前記原稿台の原稿をそのままとして前記再発呼待機を行うモードと、その送信を中断又はメモリ送信に切替えるようにするモードとのいずれかを選択することを特徴とする。
【発明の効果】
【０００８】
請求項１の発明によれば、ファクシミリの直接送信の再発呼ができない従来の複合機で再発呼ができるようにしたので、ファクシミリをメインで使うユーザや、ファクシミリから複合機への買い替えで、今まで通り直接送信を使いたいユーザにも、直接送信の再発呼機能が使えるようになり、利便性を増すことができる。
【０００９】
請求項２の発明によれば、再発呼を可能にして、送信が成功するまでスキャナを使う他の機能（コピー、スキャナ）でその原稿を使えないようにしているので、ファクシミリで送信待機していた原稿が送信される前に原稿台から無くなってしまい、送信できなきなるという不具合を無くすことができる。
【００１０】
請求項３の発明によれば、前記のようなユーザではないユーザにとっても、複合機の基本的な考え方である原稿台には原稿を残さず、他のアプリケーションを常に使えるようにすることができる。即ち、前記請求項１の発明によるモードと本発明によるモードとの切替えを可能にしているので、さらに利便性を増すことができる。
【発明を実施するための最良の形態】
【００１１】
図１は本発明の実施形態によるコピー機をベースに機能拡張を可能とする複合機としての画像形成装置の構成を示すブロック図である。本構成によれば、コピー、ＦＡＸ、スキャナ、プリンタが可能となる。
図１において、ＣＰＵ１、ＲＯＭ２、ＲＡＭ３、操作・表示部５はどのアプリケーションでも共通に必要となる。スキャナ１１は、コピー、ＦＡＸ、スキャナに必要、プロッタ１２は、コピー、ＦＡＸ、プリンタに必要、符号化復号部４は、ＦＡＸ、スキャナに必要、フォント６はプリンタに必要、ＮＩＣ１０はLAN経由のスキャナ、プリンタ、ＦＡＸのうちインターネットＦＡＸに必要となる。点線で囲んだ部分７におけるモデム８、ＮＣＵ９はＦＡＸ機能特有のものである。
【００１２】
機能拡張は、例えばＦＡＸはモデム８＋ＮＣＵ９がＦＡＸユニットとして増設され、プリンタはフォント６がプリンタオプションとして増設される。この他に操作・表示部５で、それぞれの機能に対応するアプリケーションキー（最初にどの機能を使うかを選択するためのキー：コピー、ＦＡＸ、スキャナ、プリンタ）が増設される。従って、各機能のプログラムは最初からＲＯＭ２の中に入っていてもよく、適切なユニットの増設を検知したら、該当する機能が使えるような構成でもよい。
【００１３】
次に、第１の実施形態によるファクシミリの直接送信時の動作を図２のフローチャートで説明する。本実施形態は請求項１、３に関するものである。
まず、図示しない原稿台に原稿をセットし、操作・表示部５より必要な読み取りモードや送信相手先を入力し、最終的にスタートキー押下によりＮＣＵ９からの発呼が開始される（Ｓ１）。ここで一定時間内に相手機からの応答があるか、話中音を検出するかを待つ（Ｓ２，Ｓ５）。一定時間内に相手機からの応答があれば（Ｓ２，ＹＥＳ）、送信処理に移行する（Ｓ３）。また、一定時間内に話中音を検出するか（Ｓ４，ＹＥＳ）、一定時間が経過すると（Ｓ５，ＹＥＳ）、発呼失敗となる。次に、再発呼可能か否かを判断する（Ｓ６）。
【００１４】
本実施形態においては、再発呼可能か否かを、図示しない選択スイッチ等により予め選択設定できるようになされている。再発呼可能に設定した場合は、スキャナ使用中のフラグをセットした後（Ｓ７）、原稿台の原稿をそのままにして再発呼待機処理を行う（Ｓ８）。再発呼不可能に設定した場合は、当該送信を中断して原稿を取り去るか、又はメモリに読み取ってしまい、メモリ送信に切り替えた後原稿を取り去って、とにかく原稿を原稿台から残さないようにする（Ｓ９）。
【００１５】
本実施形態によれば、ファクシミリの直接送信の再発呼ができない従来の複合機で、再発呼ができるようにしたので、ファクシミリをメインで使うユーザや、ファクシミリから複合機への買い替えで、今まで通り直接送信を使いたいユーザにも、直接送信の再発呼機能が使えるようになる。また一方、そうでないユーザにとっても、複合機の基本的な考え方である原稿台には原稿を残さず、他のアプリケーションを常に使えるようにすることができる。本実施形態では、上記の両方のモードの切替えを可能にしているので、利便性を増すことができる。
【００１６】
図３は第２の実施形態による待機モードの動作を示すフローチャートである。本実施形態は請求項２に関するものである。
前記（Ｓ７）では、再発呼待機処理に入る際にスキャナ使用中のフラグを立てている。図３の待機モードにおいて、各アプリケーションキー（コピー、ＦＡＸ、スキャナ）が押下されると（Ｓ１０，ＹＥＳ）、それらのアプリケーションはスキャナを使うことが前提であるので、まず、スキャナ使用中のフラグをチェックする（Ｓ１１）。フラグがスキャナ使用中でない場合は、そのアプリケーションに対応した処理に進む（Ｓ１２）。スキャナ使用中の場合は、対応する各アプリケーションの処理は行えないようにし、他の処理に進む（Ｓ１３）。
【００１７】
本実施形態によれば、コピー機をベースに少なくともファクシミリ機能を拡張可能とする複合機で、ファクシミリの直接送信の再発呼を可能にして、送信が成功するまでスキャナを使う他の機能（コピー、スキャナ）でその原稿を使えないようにしているので、ファクシミリで送信待機していた原稿が送られる前に原稿台から無くなってしまい、送信できなくなるという不具合を防ぐことができる。
【図面の簡単な説明】
【００１８】
【図１】本発明の実施形態によるコピー機をベースに機能拡張を可能とする複合機としての画像形成装置の構成を示すブロック図である。
【図２】本発明の第１の実施形態によるファクシミリの直接送信時の動作を示すフローチャートである。
【図３】本発明の第２の実施形態による待機モードの動作を示すフローチャートである。
【符号の説明】
【００１９】
１    ＣＰＵ
２    ＲＯＭ
３    ＲＡＭ
４    符号化復号部
５    操作・表示部
６    フォント
８    モデム
９    ＮＣＵ
１０    ＮＩＣ
１１    スキャナ
１２    プロッタ
【図１】
2006148698.tif 000003
【図２】
2006148698.tif 000004
【図３】
2006148698.tif 000005